(57)【要約】      （修正有）【課題】移動通信ネットワーク構造を提供する。【解決手段】プロセッサー１と、第一通信インターフェース２１と第二通信インターフェース２２及び第三通信インターフェース２３が含まれ、プロセッサー１に連接される通信装置２と、プロセッサー１に連接される操作装置３と、少なくとも一つのプロセッサー１に連接されるＳＩＭカードスロット４と、プロセッサー１に連接される電力装置５と、が含有される。これにより、海外においても、通信装置２と地元の電信業者との接続確立により、移動通信ネットワークが構成され、ユーザーの携帯式電子設備で、通信装置２を利用してネットワークにアクセスできるため、使用コストや使用便利性が向上され、有効に情報安全を確保できる。【選択図】図１
0003201892.tif 000002
【実用新案登録請求の範囲】
【請求項１】
プロセッサーと、
プロセッサーに連接され、第一通信インターフェースと第二通信インターフェース及び第三通信インターフェースが、含まれる通信装置と、
プロセッサーに連接される操作装置と、
プロセッサーに連接される少なくとも一つのSIMカードスロットと、
プロセッサーに連接される電力装置と、が含有される、
ことを特徴とする移動通信ネットワーク構造。
【請求項２】
上記プロセッサーや通信装置、操作装置、SIMカードスロット及び電力装置は、一つのケーシングに結合され、上記プロセッサーや通信装置及び電力装置が、ケーシング中に設置されて、操作装置とSIMカードスロットが、ケーシングの外側に設置されることを特徴とする請求項１に記載の移動通信ネットワーク構造。
【請求項３】
上記プロセッサーは、ワンチップや論理回路であることを特徴とする請求項１に記載の移動通信ネットワーク構造。
【請求項４】
上記第一通信インターフェースは、マシンtoマシン（Machine to Machine）データ交換インターフェースであることを特徴とする請求項１に記載の移動通信ネットワーク構造。
【請求項５】
上記第二通信インターフェースは、ダミー4Gモバイルブロードバンド伝達インターフェースであることを特徴とする請求項１に記載の移動通信ネットワーク構造。
【請求項６】
上記第三通信インターフェースは、wi-fi通信インターフェースであることを特徴とする請求項１に記載の移動通信ネットワーク構造。
【請求項７】
上記操作装置は、ケーシングの一面に設置されるディスプレーやケーシングの一側に設置されるスウィッチボタン及びケーシングの一側に設置されるリセットボタンが含まれることを特徴とする請求項２に記載の移動通信ネットワーク構造。
【請求項８】
上記電力装置は、充電電池であり、上記電力装置が、ケーシングの一側に設置された充電ソケットに連接されることを特徴とする請求項２に記載の移動通信ネットワーク構造。
【請求項９】
上記プロセッサーは、更に、メモリカードスロットが連接されることを特徴とする請求項２に記載の移動通信ネットワーク構造。
【考案の詳細な説明】
【技術分野】
【０００１】
本考案は、移動通信ネットワーク構造に関し、特に、海外において、通信装置や地元の電信業者と接続確立を行って、移動通信ネットワークを構築し、ユーザーの携帯式電子設備を、通信装置を介してネットワークにアクセスさせ、これにより、使用コストや使用便利性を向上させて、有効に情報安全を保護できるものに関する。
【背景技術】
【０００２】
一般のユーザーが、海外において、携帯式電子設備（例えば、ノットブックやタブレットパソコン或いは携帯電話等のネットワークにアクセス可能の設備である）で、ネットワークにアクセスする時、国内の通信業者に対して、国際ローミングサービスを要請するか、地元の無料wi-fiを利用してネットワークにアクセスすることができる。
【０００３】
しかし、国際ローミング のチャージが高いため、使用量や時間の大きいユーザーにとって、経済負担が大きくなり、また、地元の無料wi-fiによれば、管理が厳密でない場合、ユーザーの携帯式電子設備に対する不法侵入の恐れがあるから、ユーザーの身分やパスワード或いは重要データが、容易に盗難されて、情報安全の問題が、残されている。
【０００４】
本考案者は、上記欠点を解消するため、慎重に研究し、また、学理を活用して、有効に上記欠点を解消でき、設計が合理である本考案「移動通信ネットワーク構造」を提案する。
【考案の概要】
【考案が解決しようとする課題】
【０００５】
本考案の主な目的は、海外において、通信装置で、地元の電信業者と接続確立を行い、移動通信ネットワークが構築され、これにより、ユーザーの携帯式電子設備が、通信装置を介して、ネットワークにアクセスでき、使用コストや使用便利性が向上されて、有効に情報安全を確保できる移動通信ネットワーク構造を提供する。
【課題を解決するための手段】
【０００６】
上記の目的を達成できる本考案である移動通信ネットワーク構造は、プロセッサーと、第一通信インターフェースと第二通信インターフェース及び第三通信インターフェースが含まれ、プロセッサーに連接される通信装置と、プロセッサーに連接される操作装置と、プロセッサーに連接される少なくとも一つののSIMカードスロットと、プロセッサーに連接される電力装置と、が含有される。
【０００７】
本考案の実施例によれば、上記プロセッサーや通信装置、操作装置、SIMカードスロット及び電力装置は、一つのケーシングに結合され、上記プロセッサーや通信装置及び電力装置が、ケーシング中に設置されて、操作装置とSIMカードスロットが、ケーシングの外側に設置される。
【０００８】
本考案の実施例によれば、上記プロセッサーは、ワンチップや論理回路である。
【０００９】
本考案の実施例によれば、上記第一通信インターフェースは、マシンtoマシン（Machine to Machine）データ交換インターフェースである。
【００１０】
本考案の実施例によれば、上記第二通信インターフェースは、ダミー4Gモバイルブロードバンド伝達インターフェースである。
【００１１】
本考案の実施例によれば、上記第三通信インターフェースは、wi-fi通信インターフェースである。
【００１２】
本考案の実施例によれば、上記操作装置は、ケーシングの一面に設置されるディスプレーやケーシングの一側に設置されるスウィッチボタン及びケーシングの一側に設置されるリセットボタンが含まれる。
【００１３】
本考案の実施例によれば、上記電力装置は、充電電池であり、上記電力装置が、ケーシングの一側に設置される充電ソケットに連接される。
【００１４】
本考案の実施例によれば、上記プロセッサーは、更に、メモリカードスロットが連接される。
【００１５】
以下、図面を参照しながら、本考案の特徴や技術内容について、詳しく説明するが、それらの図面等は、参考や説明のためであり、本考案は、それによって制限されることが無い。
【図面の簡単な説明】
【００１６】
【図１】本考案の基本構造概念図である。
【図２】本考案のブロック概念図である。
【図３】本考案の使用状態概念図である。
【図４】本考案の他の実施状態概念図である。
【考案を実施するための最良の形態】
【００１７】
図１と図２、図３及び図４は、それぞれ、本考案の基本構造概念図と本考案のブロック概念図、本考案の使用状態概念図及び本考案の他の実施状態概念図である。図のように、本考案に係る移動通信ネットワーク構造は、少なくとも、プロセッサー１や通信装置２、操作装置３、少なくとも一つのSIMカードスロット４及び電力装置５から構成され、上記プロセッサー１や通信装置２、操作装置３、SIMカードスロット４及び電力装置５は、一つのケーシング６に結合され、上記プロセッサー１や通信装置２及び電力装置５は、ケーシング６の中に設置され、操作装置３とSIMカードスロット４は、ケーシング６の外側に設置される。
【００１８】
上記のプロセッサー１は、ワンチップ或いは論理回路であり、上記プロセッサー１は、通信装置２や操作装置３、SIMカードスロット４及び電力装置５を、使用する時の処理制御センターとされる。
【００１９】
上記通信装置２は、プロセッサー１に連接され、第一通信インターフェース２１と第二通信インターフェース２２及び第三通信インターフェース２３が含まれ、上記第一通信インターフェース２１が、マシンtoマシン（Machine to Machine）データ交換インターフェースで、上記第二通信インターフェース２２が、ダミー4Gモバイルブロードバンド伝達インターフェースで、上記第三通信インターフェース２３が、wi-fi通信インターフェースである。
【００２０】
上記操作装置３は、プロセッサー１に連接され、ケーシング６の一面に設置されるディスプレー３１と、ケーシング６の一側に設置されるスウィッチボタン３２及びケーシング６の一側に設置されるリセットボタン３３とが、含まれる。
【００２１】
上記SIMカードスロット４は、プロセッサー１に連接される。
【００２２】
上記電力装置５は、プロセッサー２に連接され、充電電池であり、プロセッサー１や通信装置２、操作装置３及びSIMカードスロット４が作動する時の給電を行い、上記電力装置５は、ケーシング６の一側に設置される充電ソケット５１に連接され、上記充電ソケット５１を利用して、充電器（図に未表示）に合わせて、外部電力を捕獲し、電力装置５に対して充電できる。上記のように、上記の構造により、新規の移動通信ネットワーク構造が構築される。
【００２３】
本考案によれば、滞在している国のSIMカードを、第二通信インターフェース２２に挿設して、操作装置３のスウィッチボタン３２を押して起動させると、通信装置２が、第一通信インターフェース２１を介して、メーカサーバー８に接続し、メーカサーバー８が、ユーザーのクライアント情報を受信して識別し、ユーザー身分が確認された後、第二通信インターフェース２２で、地元の電信業者７との接続確立を行い、第二通信インターフェース２２の接続確立が完成された後、更に、第一通信インターフェース２１をオフさせ、上記第二通信インターフェース２２の接続だけを残して、移動通信ネットワークが構成され、このように、ユーザーが、携帯式電子設備７１（例えば、ノットブックやタブレットパソコン或いは携帯電話等のネットワークにアクセス可能の設備である）で、上記第三通信インターフェース２３を介して、ハンドシェーク通信を行い、また、第二通信インターフェース２２を介して、ネットワークにアクセスし、これにより、ユーザーが、海外において、ネットワークにアクセスする時、国際ローミングを必要としなく、また、直接に、携帯式電子設備７１が、他の設備のネットワークにアクセスするためのホットスポットとされることも必要としなく、これにより、使用コストや使用便利性が向上され、そして、有効に情報安全を保護できる。
【００２４】
また、更に、SIMカードスロット４に地元のSIM カードが挿設されることにより、ユーザーが、使用慣習や受信状況或いは有利条件に基づいて、勝手に必要とする電信業者を選択でき、そのため、本考案は、より実用的なものになる。
【００２５】
本考案によれば、操作装置３のディスプレー３１に、使用状態（例えば、電量や接続状態等）を表示でき、また、使用する時、接続状況がある場合、上記リセットボタン３３を押して接続再起動でき、また、本考案によれば、総量を制限でき、例えば、ある国において、200組の設備だけを提供する場合、ユーザーが、購入する時、余剰の数が分かるため、全部の200組が完売された時、他の設備に応援しなくて、使用品質を確保でき、また、資源の有効運用が実現される。
【００２６】
また、上記プロセッサー１は、更に、メモリカードスロット８が連接されるため、ユーザーが、関連拡張できる（図４のように）。
【００２７】
以上のように、本考案に係る移動通信ネットワーク構造は、有効的に、従来の諸欠点を解消でき、海外において、通信装置や地元の電信業者と接続確立して、移動通信ネットワークが構成されるため、ユーザーが、携帯式電子設備で、通信装置を介して、ネットワークにアクセスでき、それにより、使用コストや使用便利性が向上され、有効に情報安全を確保でき、そのため、本考案は、より進歩的かつより実用的で、法に従って実用新案登録請求を出願する。
【００２８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２９】
１    プロセッサー
２    通信装置
２１  第一通信インターフェース
２２  第二通信インターフェース
２３  第三通信インターフェース
３    操作装置
３１  ディスプレー
３２  スウィッチボタン
３３  リセットボタン
４    SIMカードスロット
５    電力装置
５１  充電ソケット
６    ケーシング
７    地元の電信業者
７１  携帯式電子設備
８    メーカサーバー
９    メモリカードスロット
【図１】
0003201892.tif 000003
【図２】
0003201892.tif 000004
【図３】
0003201892.tif 000005
【図４】
0003201892.tif 000006